(57)【要約】【課題】放送受信装置において、より確実に、効率の良い番組情報の取得を実施することが可能なデジタル放送システムを提供する。【解決手段】デジタル放送システムにおいて、放送送信装置１０は、番組情報生成部１３において、番組情報の送信を停止する送信停止期間を示す送信停止情報を含む番組情報を生成し、番組コンテンツと番組情報とが多重化されたデジタル放送データを送信部１６により送信する。また、放送受信装置は、チューナにより受信したデジタル放送データから送信停止情報を取得し、取得した送信停止情報と予め定められた決定条件とに基づいて、番組情報の取得日時を決定し、決定した取得日時にデジタル放送データを受信して、番組情報を取得する。この決定条件は、何れの放送チャンネルにおける番組情報の送信停止期間とも重ならない時間帯を番組情報の取得日時として決定する条件を含む。【選択図】図２
2010187041.tif 000002
【特許請求の範囲】
【請求項１】
放送送信装置と、当該放送送信装置により送信されるデジタル放送データを受信する放送受信装置と、を備えるデジタル放送システムにおいて、
前記放送送信装置は、
番組情報の送信を停止する送信停止期間を示す送信停止情報を含む番組情報を生成する第１生成手段と、
番組コンテンツと、前記第１生成手段により生成された前記番組情報と、が多重化されたデジタル放送データを生成する第２生成手段と、
前記第２生成手段により生成された前記デジタル放送データを送信する送信手段と、
を備え、
前記放送受信装置は、
前記放送送信装置から送信される前記デジタル放送データを受信する受信手段と、
前記受信手段により受信された前記デジタル放送データから、前記送信停止情報を取得する第１取得手段と、
前記第１取得手段により取得された前記送信停止情報と、予め定められた決定条件と、に基づいて、前記番組情報の取得日時を決定する決定手段と、
前記決定手段により決定された前記取得日時に、前記受信手段により前記デジタル放送データを受信して、受信した当該デジタル放送データから前記番組情報を取得する第２取得手段と、
を備え、
前記決定条件には、何れの放送チャンネルにおける前記番組情報の前記送信停止期間とも重ならない時間帯を前記番組情報の取得日時として決定する条件が含まれることを特徴とするデジタル放送システム。
【請求項２】
前記送信停止情報には、番組情報の送信停止を開始する開始日時と、番組情報の送信停止の継続期間又は番組情報の送信停止を終了する終了日時と、が含まれることを特徴とする請求項１に記載のデジタル放送システム。
【請求項３】
前記決定条件には、少なくとも一の放送チャンネルにおいて前記番組情報の送信停止が予定されている場合に、当該放送チャンネルにおける前記番組情報の送信停止が終了する最も遅い時刻の直後を、前記番組情報の取得日時として決定する条件が含まれることを特徴とする請求項１又は２に記載のデジタル放送システム。
【請求項４】
前記決定条件には、前記番組情報の送信停止を予定している放送チャンネルが無い場合に、予め定められた時刻を前記番組情報の取得日時として決定する条件が含まれることを特徴とする請求項１〜３の何れか一項に記載のデジタル放送システム。
【請求項５】
前記決定手段は、前記番組情報の取得日時の日の前日に、翌日分の前記番組情報の取得日時を決定することを特徴とする請求項１〜４の何れか一項に記載のデジタル放送システム。
【請求項６】
前記第２取得手段により取得された前記番組情報を記憶する記憶手段を備え、
前記記憶手段は、前記第２取得手段により新たな前記番組情報が取得される度に更新されることを特徴とする請求項１〜５の何れか一項に記載のデジタル放送システム。
【請求項７】
放送送信装置と、当該放送送信装置により送信されるデジタル放送データを受信する放送受信装置と、を備えるデジタル放送システムにおいて、
前記放送送信装置は、
番組情報の送信を停止する送信停止期間を示す送信停止情報を含む番組情報を生成する第１生成手段と、
番組コンテンツと、前記第１生成手段により生成された前記番組情報と、が多重化されたデジタル放送データを生成する第２生成手段と、
前記第２生成手段により生成された前記デジタル放送データを送信する送信手段と、
を備え、
前記送信停止情報には、番組情報の送信停止を開始する開始日時と、番組情報の送信停止の継続期間又は番組情報の送信停止を終了する終了日時と、が含まれ、
前記放送受信装置は、
前記放送送信装置から送信される前記デジタル放送データを受信する受信手段と、
前記受信手段により受信された前記デジタル放送データから、前記送信停止情報を取得する第１取得手段と、
前記第１取得手段により取得された前記送信停止情報と、予め定められた決定条件とに基づいて、前記番組情報の取得日時を決定する決定手段と、
前記決定手段により決定された前記取得日時に、前記受信手段により前記デジタル放送データを受信して、受信した当該デジタル放送データから前記番組情報を取得する第２取得手段と、
前記第２取得手段により取得された前記番組情報を記憶する記憶手段と、
を備え、
前記決定条件には、
何れの放送チャンネルにおける前記番組情報の前記送信停止期間とも重ならない時間帯を前記番組情報の取得日時として決定するとともに、少なくとも一の放送チャンネルにおいて前記番組情報の送信停止が予定されている場合に、当該放送チャンネルにおける前記番組情報の送信停止が終了する最も遅い時刻の直後を、前記番組情報の取得日時として決定する条件と、
前記番組情報の送信停止を予定している放送チャンネルが無い場合に、予め定められた時刻を前記番組情報の取得日時として決定する条件と、
が含まれ、
前記決定手段は、前記番組情報の取得日時の日の前日に、翌日分の前記番組情報の取得日時を決定し、
前記記憶手段は、前記第２取得手段により新たな前記番組情報が取得される度に更新されることを特徴とするデジタル放送システム。
【請求項８】
放送送信装置により送信されるデジタル放送データを受信する放送受信装置において、
前記放送送信装置から送信される前記デジタル放送データを受信する受信手段と、
前記受信手段により受信された前記デジタル放送データの番組情報から、番組情報の送信を停止する送信停止期間を示す送信停止情報を取得する第１取得手段と、
前記第１取得手段により取得された前記送信停止情報と、予め定められた決定条件と、に基づいて、前記番組情報の取得日時を決定する決定手段と、
前記決定手段により決定された前記取得日時に、前記受信手段により前記デジタル放送データを受信して、受信した当該デジタル放送データから前記番組情報を取得する第２取得手段と、
を備え、
前記決定条件は、何れの放送チャンネルにおける前記番組情報の前記送信停止期間とも重ならない時間帯を、前記番組情報の取得日時として決定する条件であることを特徴とする放送受信装置。
【発明の詳細な説明】
【技術分野】
【０００１】
本発明は、デジタル放送システム及び放送受信装置に関する。
【背景技術】
【０００２】
デジタルテレビジョン放送の放送信号には、映像データや音声データとともに、ＡＲＩＢ（Association of Radio Industries and Business: 社団法人電波産業会）の規格に規定されたＳＩ（Service Information: 番組配列情報）と呼ばれる番組情報が多重されている。番組情報には、番組名や放送日時、番組概要等の様々な情報が含まれており、放送受信装置においてＥＰＧ（Electronic Program Guide：電子番組ガイド）としてユーザに提供される。ユーザは、ＥＰＧを利用して、多チャンネルの中から視聴番組の選択や番組検索、視聴予約、録画予約等を効率良く行うことができる。
【０００３】
こうした番組情報は、各放送局が送出する放送信号に周期的に付帯されて送信されているが、番組情報の送出周期や番組情報取得のタイミングによっては、番組情報の取得に時間がかかり、ユーザがＥＰＧの表示要求を行ったときに直ちにＥＰＧを提示することができない可能性がある。
とくに、地上デジタルテレビジョン放送では、各放送局が自局の番組情報（ＳＩ）のみを放送信号に多重する各局ＳＩ方式が採用されているため、放送受信装置が番組情報を取得する場合には、チューナ２３により各放送チャンネルを順に選局して、各局の番組情報（ＳＩ）を放送チャンネル毎に個別に取得しなければならず、ＥＰＧの表示要求を受けてからＥＰＧを表示するまでに更に時間を要することとなる。
【０００４】
そこで、予め番組情報を取得して記憶手段に記憶しておく放送受信装置が知られている（例えば、特許文献１参照）。このような放送受信装置では、ユーザがＥＰＧの表示要求を行ったときに、予め記憶手段に記憶されている番組情報に基づいて、すみやかにＥＰＧを提示することができる。
【０００５】
ところが、番組情報はチューナにより選局された放送チャンネルの放送信号の中から抽出されるため、装置の主電源がオフされている間は、チューナが稼動せず、番組情報の取得は不可能である。
また、上述したように、地上デジタルテレビジョン放送では各放送局が自局の番組情報（ＳＩ）だけを放送信号に多重する各局ＳＩ方式が採られており、地上デジタルテレビジョン放送における番組情報の取得時には、チューナが全放送チャンネルを選局して、各局の番組情報（ＳＩ）を個別に取得しなければならない。そのため、視聴者が番組を視聴している間は、チューナにより他局の放送チャンネルを選局することができず、全ての番組情報を取得することができない。
【０００６】
さらに、昨今では、放送局側が省エネの目的で、番組休止中に、放送波の完全停波を行う場合がある。放送波自体が完全に停波されている間は、番組情報の取得も不可能であるため、完全停波が行われる時間帯を避けて番組情報を取得する必要がある。
上述した番組情報の取得が不可能なタイミングに番組情報の自動取得が実施されると、電力が無駄に消費されてしまうこととなる。
【０００７】
そのため、電力の無駄な消費を防止して、番組情報の取得を確実且つ効率良く行うためには、放送受信装置の仕様として、視聴者が番組を視聴していないスタンバイ待機中であり、且つ、放送波の完全停波が行われていないタイミングで、番組情報の取得処理が実施されることが好ましい。
【０００８】
しかしながら、視聴者の視聴時間は視聴者によって様々であり、また、放送波の完全停波の時間帯も放送局や日によって異なる。そのため、現状では、放送受信装置の仕様として、視聴者が番組を視聴しておらず、且つ、放送波の完全停波が行われていないタイミングを想定して、番組情報の自動取得を確実に且つ効率良く実施することは困難であるという問題があった。
【０００９】
そこで、例えば、ユーザが視聴・録画予約を設定していない時間帯、放送電波の送信が停止している放送停止期間以外の時間帯、過去の視聴履歴に基づいて算出されたユーザが番組を視聴していないと想定される時間帯、ユーザが番組の視聴を開始すると想定される直前の時間帯のうちから、ユーザが選択又は自動的に選択された時刻をチャンネルサーチの起動時刻として番組情報を取得する放送受信装置が提案されている（例えば、特許文献２参照）。
【先行技術文献】
【特許文献】
【００１０】
【特許文献１】特開２００１−２４５２２７号公報
【特許文献２】特開２００４−１１２６３２号公報
【発明の概要】
【発明が解決しようとする課題】
【００１１】
ところが、特許文献２の放送受信装置では、取得した番組情報に基づいて、放送が停止する時点から放送が再開する時点までを放送停止期間として算出するため、仮に、取得し損ねた番組情報があった場合には、正確な放送停止期間を把握できないという問題があった。
また、放送番組が休止中であるものの、放送信号は停波しておらず番組情報の取得は可能であるチャンネルが存在する場合、放送受信装置側では、番組情報の取得が可能な放送番組の停止期間を、放送信号の完全停波によって番組情報の取得が不可能な期間と区別することができず、番組情報の取得が可能な時間帯を正確に把握できない恐れもある。
その結果、放送受信装置では、番組情報の取得が不可能な完全停波期間内に番組情報の取得を実施してしまったり、実際には番組情報の取得が可能な期間を番組情報取得のタイミングの候補から除外してしまう等、番組情報の取得を効率良く実施できない可能性がある。
【００１２】
本発明の課題は、放送受信装置において、より確実に、効率の良い番組情報の取得を実施することができるデジタル放送システムを提供することである。
【課題を解決するための手段】
【００１３】
上記課題を解決するため、請求項１に記載の発明は、放送送信装置と、当該放送送信装置により送信されるデジタル放送データを受信する放送受信装置と、を備えるデジタル放送システムにおいて、
前記放送送信装置は、
番組情報の送信を停止する送信停止期間を示す送信停止情報を含む番組情報を生成する第１生成手段と、
番組コンテンツと、前記第１生成手段により生成された前記番組情報と、が多重化されたデジタル放送データを生成する第２生成手段と、
前記第２生成手段により生成された前記デジタル放送データを送信する送信手段と、
を備え、
前記放送受信装置は、
前記放送送信装置から送信される前記デジタル放送データを受信する受信手段と、
前記受信手段により受信された前記デジタル放送データから、前記送信停止情報を取得する第１取得手段と、
前記第１取得手段により取得された前記送信停止情報と、予め定められた決定条件と、に基づいて、前記番組情報の取得日時を決定する決定手段と、
前記決定手段により決定された前記取得日時に、前記受信手段により前記デジタル放送データを受信して、受信した当該デジタル放送データから前記番組情報を取得する第２取得手段と、
を備え、
前記決定条件には、何れの放送チャンネルにおける前記番組情報の前記送信停止期間とも重ならない時間帯を前記番組情報の取得日時として決定する条件が含まれることを特徴とする。
【００１４】
請求項２に記載の発明は、請求項１に記載のデジタル放送システムにおいて、前記送信停止情報には、番組情報の送信停止を開始する開始日時と、番組情報の送信停止の継続期間又は番組情報の送信停止を終了する終了日時と、が含まれることを特徴とする。
【００１５】
請求項３に記載の発明は、請求項１又は２に記載のデジタル放送システムにおいて、前記決定条件には、少なくとも一の放送チャンネルにおいて前記番組情報の送信停止が予定されている場合に、当該放送チャンネルにおける前記番組情報の送信停止が終了する最も遅い時刻の直後を、前記番組情報の取得日時として決定する条件が含まれることを特徴とする。
【００１６】
請求項４に記載の発明は、請求項１〜３の何れか一項に記載のデジタル放送システムにおいて、前記決定条件には、前記番組情報の送信停止を予定している放送チャンネルが無い場合に、予め定められた時刻を前記番組情報の取得日時として決定する条件が含まれることを特徴とする。
【００１７】
請求項５に記載の発明は、請求項１〜４の何れか一項に記載のデジタル放送システムにおいて、前記決定手段は、前記番組情報の取得日時の日の前日に、翌日分の前記番組情報の取得日時を決定することを特徴とする。
【００１８】
請求項６に記載の発明は、請求項１〜５の何れか一項に記載のデジタル放送システムにおいて、前記第２取得手段により取得された前記番組情報を記憶する記憶手段を備え、
前記記憶手段は、前記第２取得手段により新たな前記番組情報が取得される度に更新されることを特徴とする。
【００１９】
請求項７に記載の発明は、放送送信装置と、当該放送送信装置により送信されるデジタル放送データを受信する放送受信装置と、を備えるデジタル放送システムにおいて、
前記放送送信装置は、
番組情報の送信を停止する送信停止期間を示す送信停止情報を含む番組情報を生成する第１生成手段と、
番組コンテンツと、前記第１生成手段により生成された前記番組情報と、が多重化されたデジタル放送データを生成する第２生成手段と、
前記第２生成手段により生成された前記デジタル放送データを送信する送信手段と、
を備え、
前記送信停止情報には、番組情報の送信停止を開始する開始日時と、番組情報の送信停止の継続期間又は番組情報の送信停止を終了する終了日時と、が含まれ、
前記放送受信装置は、
前記放送送信装置から送信される前記デジタル放送データを受信する受信手段と、
前記受信手段により受信された前記デジタル放送データから、前記送信停止情報を取得する第１取得手段と、
前記第１取得手段により取得された前記送信停止情報と、予め定められた決定条件とに基づいて、前記番組情報の取得日時を決定する決定手段と、
前記決定手段により決定された前記取得日時に、前記受信手段により前記デジタル放送データを受信して、受信した当該デジタル放送データから前記番組情報を取得する第２取得手段と、
前記第２取得手段により取得された前記番組情報を記憶する記憶手段と、
を備え、
前記決定条件には、
何れの放送チャンネルにおける前記番組情報の前記送信停止期間とも重ならない時間帯を前記番組情報の取得日時として決定するとともに、少なくとも一の放送チャンネルにおいて前記番組情報の送信停止が予定されている場合に、当該放送チャンネルにおける前記番組情報の送信停止が終了する最も遅い時刻の直後を、前記番組情報の取得日時として決定する条件と、
前記番組情報の送信停止を予定している放送チャンネルが無い場合に、予め定められた時刻を前記番組情報の取得日時として決定する条件と、
が含まれ、
前記決定手段は、前記番組情報の取得日時の日の前日に、翌日分の前記番組情報の取得日時を決定し、
前記記憶手段は、前記第２取得手段により新たな前記番組情報が取得される度に更新されることを特徴とするデジタル放送システム。
【００２０】
請求項８に記載の発明は、放送送信装置により送信されるデジタル放送データを受信する放送受信装置において、
前記放送送信装置から送信される前記デジタル放送データを受信する受信手段と、
前記受信手段により受信された前記デジタル放送データの番組情報から、番組情報の送信を停止する送信停止期間を示す送信停止情報を取得する第１取得手段と、
前記第１取得手段により取得された前記送信停止情報と、予め定められた決定条件と、に基づいて、前記番組情報の取得日時を決定する決定手段と、
前記決定手段により決定された前記取得日時に、前記受信手段により前記デジタル放送データを受信して、受信した当該デジタル放送データから前記番組情報を取得する第２取得手段と、
を備え、
前記決定条件は、何れの放送チャンネルにおける前記番組情報の前記送信停止期間とも重ならない時間帯を、前記番組情報の取得日時として決定する条件であることを特徴とする。
【発明の効果】
【００２１】
本発明によれば、放送送信装置において、第１生成手段により、番組情報の送信を停止する送信停止期間を示す送信停止情報を含む番組情報が生成され、第２生成手段により、番組コンテンツと、第１生成手段により生成された番組情報と、が多重化されたデジタル放送データが生成され、送信手段により、第２生成手段により生成されたデジタル放送データが送信される。また、放送受信装置において、受信手段により、放送送信装置から送信されるデジタル放送データが受信され、第１取得手段により、受信手段により受信されたデジタル放送データから送信停止情報が取得され、決定手段により、第１取得手段により取得された送信停止情報と、予め定められた決定条件と、に基づいて、番組情報の取得日時が決定され、第２取得手段により、決定手段により決定された取得日時に受信手段によりデジタル放送データが受信され、受信されたデジタル放送データから番組情報が取得され、決定条件には、何れの放送チャンネルにおける番組情報の送信停止期間とも重ならない時間帯を番組情報の取得日時として決定する条件が含まれる。
すなわち、放送受信装置において、デジタル放送データから送信停止情報を取得することで、番組情報の送信停止が行われる送信停止期間を正確に把握することが可能となり、何れの放送チャンネルの送信停止期間とも重ならない時間帯に番組情報の取得日時が設定されて番組情報の取得処理が実施されることとなる。したがって、放送受信装置において、番組情報の取得が不可能な放送信号の送信停止期間内に番組情報の取得を実施してしまうことを防止することができるとともに、確実に番組情報の取得が不可能な時間帯だけを、番組情報を取得するタイミングの候補から除外することができることとなって、放送受信装置において、より確実に効率の良い番組情報の取得を実施することが可能なデジタル放送システムを提供することができる。
【図面の簡単な説明】
【００２２】
【図１】本実施形態のデジタル放送システムの全体構成を示す図である。
【図２】本実施形態のデジタル放送システムに備わる放送送信装置の要部構成を示すブロック図である。
【図３】送信停止情報のデータ構造を模式的に示す図である。
【図４】本実施形態のデジタル放送システムに備わる放送受信装置の要部構成を示すブロック図である。
【図５】放送受信装置において行われる番組情報取得処理の流れを示すフローチャートである。
【図６】各放送チャンネルの番組情報に基づいて作成された電子番組表の一例である。
【発明を実施するための形態】
【００２３】
以下、本発明に係る実施の形態を図面に基づいて説明する。なお、発明の範囲は図示例に限定されない。
【００２４】
（デジタル放送システム）
本実施形態のデジタル放送システム１００は、例えば、図１に示すように、地上デジタル放送のデジタル放送データを送信する放送事業者側の放送送信装置１０と、放送送信装置１０から送信されるデジタル放送データを受信する放送受信装置２０とを備えて構成される。なお、本発明のデジタル放送システムは、地上デジタル放送のみならず、衛星デジタル放送等にも適用可能である。
【００２５】
本実施形態の放送送信装置１０から送信されるデジタル放送データには、映像データ及び音声データから成る番組コンテンツ、ＰＳＩ（Program Specific Information:番組特定情報）、ＳＩ（Service Information：番組配列情報）と呼ばれる番組情報等が多重化されている。地上デジタル放送では、自局の番組情報のみを多重化する各局ＳＩ方式が採用されている。
一方、本実施形態の放送受信装置２０は、各放送局から送信されるデジタル放送データに多重化された番組情報（ＳＩ）を、全放送チャンネルのデジタル放送データから取得し、取得した全放送チャンネル分の番組情報に基づいてＥＰＧ（Electronic Program Guide:電子番組ガイド）を作成して、ユーザに提供する機能を備えている。
【００２６】
（放送送信装置の構成）
まず、放送送信装置１０について説明する。図２は、本実施形態に係る放送送信装置１０の概略構成を示すブロック図である。
放送送信装置１０は、例えば、図２に示すように、ビデオエンコーダ１１、オーディオエンコーダ１２、番組情報生成部１３、多重化部１４、伝送路符号化部１５、送信手段としての送信部１６、制御部１７等を備えて構成される。
【００２７】
ビデオエンコーダ１１は、ＭＰＥＧ２  Ｖｉｄｅｏ方式に従い、番組コンテンツとしての映像信号を符号化する。また、オーディオエンコーダ１２は、ＭＰＥＧ２  Ａｕｄｉｏ  ＡＡＣ（Advanced Audio Coding）方式に従い、番組コンテンツとしての音声信号を符号化する。
これにより、番組コンテンツとしての映像・音声信号は、ＥＳ（Elementary Stream）と呼ばれる符号化データ列に変換される。
【００２８】
番組情報生成部１３は、第１生成手段として、入力された情報に基づいて、ＳＤＴ(Service Description Table)、ＥＩＴ(Event Information Table)、ＢＩＴ(Broadcaster Information Table)、ＴＯＴ(Time Offset Table)等のＡＲＩＢ規格下の各種テーブルを作成し、番組情報（ＳＩ）を編集（生成）する。
このとき、番組情報生成部１３は、デジタル放送データの送信停止を予定している場合、放送信号の送信停止（完全停波）を行う送信停止期間を示す送信停止情報を生成して、番組情報内に挿入する。かかる送信停止情報については、後に詳述する。
【００２９】
多重化部１４は、第２生成手段として、ＥＳを、ＰＥＳ（Packetized Elementary Stream）パケットと呼ばれる可変長のパケットに変換する。また、受信側でパケットを選択する際に参照されるＰＳＩやＥＰＧの元となる番組情報（ＳＩ）を、セクション（Section）形式に変換する。
さらに、多重化部１４は、ＰＥＳパケットに変換された番組コンテンツやセクション形式に変換されたＰＳＩ・ＳＩ等を、ＴＳ（Transport Stream）ヘッダを付したＴＳパケットと呼ばれる固定長（188byte）のパケットに分割するとともに、デジタル放送データとして、一まとまりのＴＳに多重化する。
【００３０】
伝送路符号化部１５は、第２生成手段として、多重化部１４において生成されたデジタル放送データとしてのＴＳに対して、ＴＳ再多重、誤り訂正符号付加、インタリーブ、エネルギー拡散等を行い、ＩＦＥＴ（Inverse Fast Fourier Transform）を行って、ＯＦＤＭ（Orthogonal Frequency Division Multiplexing）方式によりデジタル変調を行う。
【００３１】
送信部１６は、送信手段として、伝送路符号化部１５において変調されたデジタル放送データをＤ／Ａ変換した後に、ＵＨＦ帯の周波数に変換して増幅し、送信アンテナから送信する。
【００３２】
制御部１７は、例えば、ＣＰＵ（Central Processing Unit）１７１、ＲＡＭ（Random Access Memory）１７２、ＲＯＭ（Read Only Memory）１７３等を備えて構成され、放送受信装置２０の各部を制御する。
【００３３】
ＣＰＵ１７１は、各部から入力された入力信号に応じて、ＲＯＭ１７３に格納された処理プログラム等を読み出してＲＡＭ１７２に展開して実行し、各部に出力信号を出力することにより、放送送信装置１０全体の制御を行う。
【００３４】
ＲＡＭ１７２は、ＣＰＵ１７１により実行される各種プログラムを展開するプログラム格納領域や、入力データやこれらの処理プログラムが実行される際に生じる処理結果等を格納するデータ格納領域を備え、ＣＰＵ１７１のワークエリアとして用いられる。
【００３５】
ＲＯＭ１７３は、処理プログラムやデータ等を予め記憶しており、例えば、第１生成手段としての第１生成プログラム１７３ａ、第２生成手段としての第２生成プログラム１７３ｂ、送信手段としての送信プログラム１７３ｃ等が格納されている。
【００３６】
第１生成プログラム１７３ａは、ＣＰＵ１７１に、番組情報の送信を停止する送信停止期間を示す送信停止情報を含む番組情報を生成する機能を実現させるためのプログラムである。
第１生成プログラム１７３ａの実行において、ＣＰＵ１７１は、番組情報生成部１３により、ＳＤＴ、ＥＩＴ、ＢＩＴ、ＴＯＴ等の各種のテーブルを作成して番組情報を生成する。ＥＩＴには、その放送局の放送チャンネルにおいて現在放送中の番組と次に放送される番組の情報を記述するＥＩＴ present/followingと、現在放送中の番組を含む８日分の番組の情報を記述するＥＩＴ scheduled等がある。
また、デジタル放送データの送信停止が予定されている場合、ＣＰＵ１７１は、この番組情報に、以下に説明する送信停止情報を挿入する。
本実施形態では、かかる第１生成プログラム１７３ａ、ＣＰＵ１７１、番組情報生成部１３により、第１生成手段が構成される。
【００３７】
図３は、送信停止情報のデータ構造を模式的に示す図である。
図３に示すように、送信停止情報は、１６ビットの送信停止識別コードと、４０ビットの送信停止開始日時（開始日時）と、２４ビットの継続時間と、８ビットの送信停止補足情報長と、８×Ｎビットの番組休止補足情報と、から構成され、番組情報（ＳＩ）内に記述される。
送信停止情報の先頭に配置される送信停止識別コードには、送信停止情報の始まりを示す所定の値が配置される。
また、送信停止開始日時には、放送信号の送信停止（すなわち、番組情報の送信停止）を開始する開始日時が、ＭＪＤ（修正ユリウス日）による日付及びＢＣＤ（２進化１０進数）表記の時分秒単位で記述される。
また、継続時間には、放送信号の送信停止を行う継続時間が、ＢＣＤ（２進化１０進数）表記で記述される。
また、送信停止補足情報長には、後続の番組休止補足情報の長さ（バイト単位）を示す値が挿入される。
また、送信停止補足情報には、放送信号の送信停止に関する補足情報が挿入される。放送受信装置２０側では、送信停止補足情報に挿入されたデータをユーザに提供するように構成されており、例えば、送信停止補足情報として“完全停波中”と記述されている場合には、ＥＰＧ画面上に“完全停波中”と文字表示されることとなる。
【００３８】
なお、送信停止情報のデータ構造や形式は特に限定されず、番組情報（ＳＩ）内に何らかの形で含まれていれば良い。例えば、上述したデータ構造とは異なる構造を有していても良い。また、送信停止情報は、送信停止情報に関する新たなテーブルや、記述子（ディスクリプタ：Descriptor）の形式で記述されていても良い。
上述の送信停止情報を、既存でない新たなテーブルや記述子の形式で番組情報（ＳＩ）に組み込む場合、その内容（例えば、ＰＩＤ、テーブルＩＤ、タグ値、データ構造等）は、ＡＲＩＢの規格に登録されて公開される。
【００３９】
第２生成プログラム１７３ｂは、ＣＰＵ１７１に、番組コンテンツと、第１生成プログラム１７３ａの実行により生成された番組情報と、が多重化されたデジタル放送データを生成する機能を実現させるためのプログラムである。
第２生成プログラム１７３ｂの実行において、ＣＰＵ１７１は、前述したように、ビデオエンコーダ１１及びオーディオエンコーダ１２において番組コンテンツとしての映像データと音声データとを符号化し、ＰＥＳパケット化する。また、ＰＳＩや番組情報（ＳＩ）を符号化してセクション化する。そして、生成したＰＥＳパケットとセクションとを多重化して、デジタル放送データとしてのＴＳ(Transport Steam)を生成する。
本実施形態では、かかる第２生成プログラム１７３ｂ、ＣＰＵ１７１、多重化部１４、伝送路符号化部１５により、第２生成手段が構成される。
【００４０】
送信プログラム１７３ｃは、ＣＰＵ１７１に、第２生成プログラム１７３ｂの実行により生成されたデジタル放送データを送信する機能を実現させるためのプログラムである。
送信プログラム１７３ｃの実行において、ＣＰＵ１７１は、前述したように、番組コンテンツと番組情報とが多重化されたデジタル放送データとしてのＴＳを、送信部１６から送信アンテナにより送出する。番組情報は、デジタル放送データに付帯されて周期的に繰り返し送出される。
本実施形態では、かかる送信プログラム１７３ｃ、ＣＰＵ１７１、送信部１６により、送信手段が構成される。
【００４１】
（放送受信装置）
次に、放送受信装置２０について説明する。図４は、本実施形態に係る放送受信装置２０の概略構成を示すブロック図である。
図４に示すように、放送受信装置２０は、ユーザが各種指示を入力するリモートコントローラ（以下、「リモコン」と称する）２０ａと、リモコン２０ａにより遠隔操作される装置本体２０ｂと、を備えて構成され、地上デジタルテレビジョン放送信号の受信を行う。
【００４２】
リモコン２０ａは、ユーザが装置本体２０ｂに対して各種指示を入力するための複数の釦を備える。例えば、リモコン２０ａには、電源釦、番組表表示釦、ワンタッチ釦として機能する数字釦、入力切換釦、音声切換釦、戻る釦、上下左右の釦から成るカーソル釦、決定釦、チャンネルアップ／ダウン釦、ボリュームアップ／ダウン釦（何れも図示せず）等が備わる。
これらの釦の各々には予め識別情報が割り当てられ、所定の記憶領域に記憶されている。そして、ユーザにより釦の操作が行われると、操作された釦の識別情報が読み出されて、読み出された識別情報に対応するリモコン信号が生成され、生成されたリモコン信号が図示しない送信部１６から送信されるようになっている。
【００４３】
装置本体２０ｂは、リモコン信号受光部２１、アンテナ２２、チューナ２３、復調部２４、デコーダ部２５、映像処理部３０、音声処理部３１、ＯＳＤ回路３２、表示部３３、音声出力部３４、制御部３５等を備えている。
【００４４】
リモコン信号受光部２１は、フォトダイオード、ＳＵＢＣＰＵ、増幅部、復調部、デコーダ（いずれも図示せず）等を備えて構成されている。ＳＵＢＣＰＵは、リモコン２０ａから送信されたリモコン信号を、前面パネルに設けられたフォトダイオードにおいて受信すると、受信したリモコン信号を増幅部により増幅させ、復調部において復調させ、デコーダにより波形整形、誤り訂正等の各種処理を行わせた後に、制御部３５に出力する。制御部３５では、入力されたリモコン信号から識別情報を取得し、取得した識別情報に基づいて操作された釦の判別を行う。
【００４５】
アンテナ２２は、屋外において所定の方角に向けて配置され、放送送信装置１０から発信される高周波のデジタル放送信号を受信する。
【００４６】
チューナ２３は、受信手段として、制御部３５からの選局指示にしたがって、アンテナ２２等により入力された高周波信号のデジタル放送信号の中から特定周波数帯の信号を抽出し、低周波の信号に変換した後、ＡＤ変換等を行い、復調部２４に出力する。
【００４７】
復調部２４は、例えば、制御部３５からの制御に基づいて、チューナ２３において選局されたチャンネルの信号に対してデジタル復調や誤り訂正等の処理を実行し、トランスポートストリーム（ＴＳ：Transport Stream）を生成して、デコーダ部２５に出力する。
【００４８】
デコーダ部２５は、分離部（Demultiplexer）２６、ビデオデコーダ２７、オーディオデコーダ２８、データデコーダ２９等を備えて構成されている。
【００４９】
分離部２６は、復調部２４から入力されるＴＳを、ビデオストリーム、オーディオストリーム、ＰＳＩ（Program Specific Information:番組特定情報）／ＳＩ（Service Information: 番組配列情報）等の複数のストリームに分離する。そして、ＰＳＩに基づいて必要なＴＳパケットを取得し、ＭＰＥＧ２（Moving Picture Experts Group 2）規格下のビデオストリームをビデオデコーダ２７に、オーディオストリームをオーディオデコーダ２８に出力する。さらに、分離部２６は、番組情報（ＳＩ）等のデータをデータデコーダ２９に出力する。
【００５０】
ビデオデコーダ２７は、分離部２６から入力されるビデオストリームに可変長復号化、逆量子化、逆ＤＣＴ（Discrete Cosine Transform）、動き補正等の各種処理を行うことで、ビデオストリームをＤＴＳ（Decoding Time Stamp）に応じたタイミングで復号し、映像データを生成して映像処理部３０に出力する。
オーディオデコーダ２８は、分離部２６から入力されるオーディオストリームを復号し、音声データを生成して音声処理部３１に出力する。
【００５１】
データデコーダ２９は、分離部２６から入力される番組情報（ＳＩ）を復号し、必要な情報を取得して制御部３５に供給する。
具体的には、データデコーダ２９は、第１取得手段として、入力される番組情報（ＳＩ）に放送信号の送信停止に関する送信停止情報が含まれている場合に、翌日分の送信停止情報を抽出して、制御部３５に供給する。データデコーダ２９により取得された送信停止情報は、後述するように、制御部３５において、翌日分の番組情報（ＳＩ）の取得日時を決定する際に参照される情報である。
また、データデコーダ２９は、第２取得手段として、入力される番組情報（ＳＩ）から必要な情報を取得して、制御部３５に供給する。データデコーダ２９により取得された番組情報（ＳＩ）は、後述する番組情報記憶部３５６に格納されることとなる。
なお、送信停止情報を、データデコーダ２９において取得するのではなく、番組情報記憶部３５６に格納された番組情報（ＳＩ）の中から取得する構成としても良い。
【００５２】
映像処理部３０は、ビデオデコーダ２７から入力された映像データに対して各種映像処理を施し、映像信号を生成する。生成された映像信号は、フレームメモリ（図示略）に一旦格納された後、ＰＴＳ（Presentation Time Stamp）に応じた再生タイミングで、表示部３３に出力される。
音声処理部３１は、オーディオデコーダ２８から入力された音声データに対して各種音声処理を施して音声信号を生成し、ＰＴＳに応じた再生タイミングで、音声出力部３４に出力する。
【００５３】
ＯＳＤ回路３２は、制御部３５からの制御にしたがって、ＯＳＤ表示用データを生成し、生成したＯＳＤ表示用データを、映像処理部３０から出力される映像信号に重畳して、表示部３３にＯＳＤ表示させる。
【００５４】
表示部３３は、例えば、ＬＣＤ（Liquid Crystal Display）、ＰＤＰ（Plasma Display Panel）、有機ＥＬ（Electro Luminescence）ディスプレイ等のディスプレイ（図示省略）を備えて構成され、映像処理部３０から入力された映像信号に基づく映像をディスプレイに表示させる。
音声出力部３４は、例えば、スピーカ（図示省略）等を備えて構成され、音声処理部３１から入力された音声信号に基づく音声を増幅して、スピーカにより出力させる。
【００５５】
制御部３５は、例えば、ＣＰＵ（Central Processing Unit）３５１、ＲＡＭ（Random Access Memory）３５２、チャンネルメモリ３５３、計時部３５４、取得日時記憶部３５５、番組情報記憶部３５６、ＲＯＭ（Read Only Memory）３５７等を備えて構成され、放送受信装置２０の各部を制御する。
【００５６】
ＣＰＵ３５１は、装置本体２０ｂの各部から入力された入力信号に応じて、ＲＯＭ３５７に格納された処理プログラム等を読み出してＲＡＭ３５２に展開して実行し、装置本体２０ｂの各部に出力信号を出力することにより、放送受信装置２０全体の制御を行う。
【００５７】
ＲＡＭ３５２は、ＣＰＵ３５１により実行される各種プログラムを展開するプログラム格納領域や、入力データやこれらの処理プログラムが実行される際に生じる処理結果等を格納するデータ格納領域を備え、ＣＰＵ３５１のワークエリアとして用いられる。
【００５８】
チャンネルメモリ３５３は、不揮発性メモリにより構成され、チューナ２３におけるチャンネルスキャンにより検出された本放送受信装置２０において受信可能な放送チャンネルに関する情報を記憶する。
【００５９】
計時部３５４は、計時処理を行って放送受信装置２０全体の基準時刻を発生する。
【００６０】
取得日時記憶部３５５は、不揮発性メモリにより構成され、一日に一度の頻度で決定される翌日分の番組情報（ＳＩ）の取得日時を記憶する。
【００６１】
番組情報記憶部３５６は、不揮発性メモリにより構成され、記憶手段として、データデコーダ２９において取得された番組情報（ＳＩ）を記憶する。
【００６２】
ＲＯＭ３５７は、処理プログラムやデータ等を予め記憶しており、例えば、受信手段としての受信プログラム３５７ａ、第１取得手段としての第１取得プログラム３５７ｂ、決定手段としての決定プログラム３５７ｃ、第２取得手段としての第２取得プログラム３５７ｄ、記憶手段としての記憶プログラム３５７ｅ等が格納されている。
【００６３】
受信プログラム３５７ａは、ＣＰＵ３５１に、放送送信装置１０から送信されるデジタル放送データを受信する機能を実現させるためのプログラムである。
本実施形態では、かかる受信プログラム３５７ａ、ＣＰＵ３５１、チューナ２７により、受信手段が構成される。
【００６４】
第１取得プログラム３５７ｂは、ＣＰＵ３５１に、受信プログラム３５７ａの実行により受信されたデジタル放送データから、送信停止情報を取得する機能を実現させるためのプログラムである。
本実施形態では、かかる第１取得プログラム３５７ｂ、ＣＰＵ３５１、データデコーダ２９により、第１取得手段が構成される。
【００６５】
決定プログラム３５７ｃは、ＣＰＵ３５１に、第１取得プログラム３５７ｂの実行により取得された送信停止情報と、予め定められた決定条件とに基づいて、番組情報の取得日時を決定する機能を実現させるためのプログラムである。
決定条件は、何れの放送チャンネルにおける番組情報の送信停止期間とも重ならない時間帯を番組情報の取得日時として決定する条件であるとともに、少なくとも一の放送チャンネルにおいて番組情報の送信停止が予定されている場合に、当該放送チャンネルにおける前記番組情報の送信停止が終了する最も遅い時刻の直後を、番組情報の取得日時として決定し、一方、番組情報の送信停止を予定している放送チャンネルが無い場合に、予め定められた時刻を前記番組情報の取得日時として決定する条件である。
また、番組情報の取得日時は、取得日時の日の前日に取得した番組情報に含まれる放送停止情報に基づいて、翌日分の取得日時を対象として決定される。すなわち、一日に一回、その日に取得した番組情報に基づいて、翌日分の取得日時が決定される。
本実施形態では、かかる決定プログラム３５７ｃ、ＣＰＵ３５１により、決定手段が構成される。
【００６６】
第２取得プログラム３５７ｄは、ＣＰＵ３５１に、決定プログラム３５７ｃの実行により決定された取得日時に、チューナ２３によりデジタル放送データを受信して、受信した当該デジタル放送データから番組情報を取得する機能を実現させるためのプログラムである。
本実施形態では、かかる第２取得プログラム３５７ｄ、ＣＰＵ３５１、データデコーダ２９により、第２取得手段が構成される。
【００６７】
記憶プログラム３５７ｅは、ＣＰＵ３５１に、第２取得プログラム３５７ｄの実行により取得された番組情報を番組情報記憶部３５６に記憶するとともに、新たな番組情報が取得される度に番組情報記憶部３５６を更新する機能を実現させるためのプログラムである。
本実施形態では、かかる記憶プログラム３５７ｅ、ＣＰＵ３５１、番組情報記憶部３５６により、記憶手段が構成される。
【００６８】
ここで、ＣＰＵ３５１が上述の第１取得プログラム３５７ｂ、決定プログラム３５７ｃ、第２取得プログラム３５７ｄ、記憶プログラム３５７ｅを実行することにより、本放送受信装置２０において行われる番組情報取得処理について、図５のフローチャートを参照しながら説明する。
【００６９】
まず、ＣＰＵ３５１は、後述するステップＳ８の処理において取得された各放送チャンネルの番組情報において、放送信号の送信を停止する送信停止期間を示す翌日分の送信停止情報が含まれているか否かを判断する（ステップＳ１）。ＣＰＵ３５１は、少なくとも１つの放送チャンネルの番組情報に翌日分の送信停止情報が含まれていると判断すると（ステップＳ１；Ｙｅｓ）、ステップＳ２に進み、一方、何れの放送チャンネルの番組情報にも翌日分の送信停止情報が含まれていないと判断すると（ステップＳ１；Ｎｏ）、翌日は何れの放送チャンネルでも放送信号の送信停止（完全停波）が行われないとして、ステップＳ４に進む。
【００７０】
ステップＳ２において、ＣＰＵ３５１は、取得した番組情報に含まれている翌日分の送信停止情報を取得する。送信停止情報は、前述したように、データデコーダ２９において取得される番組情報の中から抽出しても良く、また、データデコーダ２９において取得された番組情報が一旦番組情報記憶部３５６に記憶された後に、番組情報記憶部３５６に記憶された番組情報の中から取得しても良い。
【００７１】
次に、ステップＳ３において、ＣＰＵ３５１は、取得した送信停止情報と、予め定められた決定条件と、に基づいて、翌日分の番組情報の取得日時を決定する。このとき、ＣＰＵ３５１は、翌日に放送信号の送信停止を予定している放送チャンネルにおいて、放送信号の送信停止が終了する最も遅い時刻を特定する。そして、特定した時刻の直後の日時を、翌日分の番組情報の取得日時とする。
【００７２】
例えば、放送局「ＫＨＮ２」の放送チャンネルの番組情報から「ＡＭ０：４０〜ＡＭ４：３０」を送信停止期間とする送信停止情報を取得し、放送局「Ｃ２放送局」の放送チャンネルの番組情報から「ＡＭ１：００〜ＡＭ３：００」を送信停止期間とする送信停止情報を取得し、放送局「ｘ２放送局」の放送チャンネルの番組情報から「ＡＭ１：００〜ＡＭ５：００」を送信停止期間とする送信停止情報を取得したこととする。
【００７３】
すると、ＣＰＵ３５１は、３つの放送チャンネルにおける放送信号の送信停止期間のうち、これらの送信停止期間内で最も遅い時刻（すなわち、ｘ２放送局の「ＡＭ５：００」）を特定する。そして、特定した送信停止期間内で最も遅い時刻「ＡＭ５：００」の直後の時刻（例えば、「ＡＭ５：０１」）を、翌日分の番組情報の取得日時として決定する。
【００７４】
なお、本発明において、「放送信号の送信停止が終了する最も遅い時刻の直後」は、送信停止が終了する最も遅い時刻から１分後の時刻に限られず、放送信号の送信停止が終了する最も遅い時刻から予め定められた一定時間内の時刻であれば良い。例えば、放送信号の送信停止が終了する最も遅い時刻から１０秒後／３０秒後／５分後／１０分後／３０分後／６０分後を番組情報の取得日時として決定するように構成しても良い。
また、実際には、放送信号の送信停止を終了する予定時刻よりも前に、放送信号の送信が再開されるケースも考えられるため、放送信号の送信停止が終了する予定時刻とほぼ同時刻に、番組情報の取得日時を設定することとしても良い。
【００７５】
一方、ステップＳ４において、ＣＰＵ３５１は、翌日において何れの放送チャンネルでも放送信号の送信停止が行われないとして、予め定められた時刻として、例えば、「ＡＭ１：００」を、翌日分の番組情報の取得日時として決定する。
また、後述するステップＳ７における番組情報の取得処理の実行において、放送受信装置２０の主電源がオフされている、ユーザが番組を視聴中である等の何らかの理由で、全放送チャンネルの番組情報を完全に取得できなかった場合にも、予め定められた時刻が翌日分の番組情報の取得日時として決定されるように構成されている。
【００７６】
ステップＳ５において、ＣＰＵ３５１は、ステップＳ３又はステップＳ４において決定した翌日分の番組情報の取得日時を取得日時記憶部３５５に記憶させる。
【００７７】
次に、ステップＳ６において、ＣＰＵ３５１は、計時部３５４が発生する基準時刻に基づいて、取得日時記憶部３５５に記憶された番組情報の取得日時（例えば、「ＡＭ５：０１」）が到来したか否かを判断する。ＣＰＵ３５１は、ステップＳ６において、番組情報の取得日時が未だ到来していないと判断すると（ステップＳ６；Ｎｏ）、ステップＳ６の処理を繰り返し実行し、一方、番組情報の取得日時が到来したと判断すると（ステップＳ６；Ｙｅｓ）、ステップＳ７に進む。
【００７８】
次に、ステップＳ７において、ＣＰＵ３５１は、チャンネルメモリ３５３から受信可能な放送チャンネルとして記憶された各放送チャンネルの情報を読み出し、チューナ２３により全ての放送チャンネルを順に選局して、各放送チャンネルのデジタル放送データを受信する。そして、データデコーダ２９において、受信した各放送チャンネルのデジタル放送データから番組情報を取得する。
【００７９】
続くステップＳ８において、ＣＰＵ３５１は、ステップＳ７の番組情報取得処理により取得した番組情報に基づいて番組情報記憶部３５６を更新し、その後、ステップＳ１に戻って以上の処理を繰り返す。
【００８０】
図６に、各放送チャンネルの番組情報に基づいて作成された電子番組表の一例を示す。
図６に示すように、番組情報に基づいて作成される電子番組表では、放送番組を選択するためのカーソルＣが表示されており、カーソルＣによって選択された番組の番組名、出演者、番組内容等の情報が画面下部に表示されるようになっている。
【００８１】
さらに、図６に示すように、カーソルＣによって送信停止期間が選択されている場合には、画面下部に、送信停止情報に送信停止補足情報として挿入されたデータ（“完全停波中”）に基づいて「完全停波中」と表示され、選択された期間が放送信号の送信停止期間であることが明確に認識できるようになっている。
これにより、ユーザは、「ＫＨＮ２」の放送チャンネルでは「ＡＭ０：４０〜ＡＭ４：３０」の間、「Ｃ２放送局」の放送チャンネルでは「ＡＭ１：００〜ＡＭ３：００」の間、「ｘ２放送局」の放送チャンネルでは、「ＡＭ１：００〜ＡＭ５：００」の間、放送信号の完全停波が行われることを容易に把握できる。
【００８２】
以上に説明した本実施形態のデジタル放送システム１００によれば、放送送信装置１０と、当該放送送信装置１０により送信されるデジタル放送データを受信する放送受信装置２０と、が備わり、放送送信装置１０において、第１生成プログラム１７３ａの実行により、放送信号の送信を停止する送信停止期間を示す送信停止情報を含む番組情報が生成され、第２生成プログラム１７３ｂの実行により、番組コンテンツと、第１生成手段により生成された番組情報と、が多重化されたデジタル放送データが生成され、送信手段により、送信プログラム１７３ｃの実行により、第２生成プログラム１７３ｂの実行により生成されたデジタル放送データが送信され、送信停止情報には、放送信号の送信停止を開始する開始日時と、放送信号の送信停止の継続期間又は放送信号の送信停止を終了する終了日時と、が含まれる。また、放送受信装置２０において、受信プログラム３５７ａの実行により、放送送信装置１０から送信されるデジタル放送データがチューナ２３により受信され、第１取得プログラム３５７ｂの実行により、チューナ２３により受信されたデジタル放送データから、送信停止情報が取得され、決定プログラム３５７ｃの実行により、第１取得プログラム３５７ｂの実行により取得された送信停止情報と、予め定められた決定条件とに基づいて、番組情報の取得日時が決定され、第２取得プログラム３５７ｄの実行により、決定プログラム３５７ｃの実行により決定された取得日時に、チューナ２３によりデジタル放送データが受信されて、受信された当該デジタル放送データから番組情報が取得され、記憶プログラム３５７ｅの実行により、第２取得プログラム３５７ｄの実行により取得された番組情報が番組情報記憶部３５６により記憶される。また、決定条件には、何れの放送チャンネルにおける番組情報の送信停止期間とも重ならない時間帯を番組情報の取得日時として決定するとともに、少なくとも一の放送チャンネルにおいて放送信号の送信停止が予定されている場合に、当該放送チャンネルにおける番組情報の送信停止が終了する最も遅い時刻の直後を、番組情報の取得日時として決定する条件と、番組情報の送信停止を予定している放送チャンネルが無い場合に、予め定められた時刻を前記番組情報の取得日時として決定する条件と、が含まれる。さらに、決定プログラム３５７ｃの実行により、番組情報の取得日時の日の前日に、翌日分の前記番組情報の取得日時が決定され、番組情報記憶部３５６は、第２取得プログラム３５７ｄの実行により新たな前記番組情報が取得される度に更新される。
すなわち、放送受信装置２０において、デジタル放送データから送信停止情報を取得することで、放送信号の送信停止（すなわち、番組情報の送信停止）が行われる送信停止期間を正確に把握することが可能となり、何れの放送チャンネルの送信停止期間とも重ならない時間帯に番組情報の取得日時が設定されて番組情報の取得処理が実施されることとなる。したがって、放送受信装置２０において、番組情報の取得が不可能な放送信号の送信停止期間（完全停波期間）内に番組情報の取得を実施してしまうことを防止することができるとともに、確実に番組情報の取得が不可能な時間帯だけを、番組情報を取得するタイミングの候補から除外することができることとなって、放送受信装置２０において、より確実に効率の良い番組情報の取得を実施することが可能なデジタル放送システム１００を提供することができる。
【００８３】
また、送信停止情報には、放送信号の送信停止（すなわち、番組情報の送信停止）を開始する開始日時と、放送信号の送信停止の継続期間又は番組情報の送信停止を終了する終了日時と、が含まれるため、放送受信装置２０において、より容易且つより正確に、番組情報の送信停止期間を把握することができる。
【００８４】
また、決定条件には、少なくとも一の放送チャンネルにおいて放送信号の送信停止（すなわち、番組情報の送信停止）が予定されている場合に、当該放送チャンネルにおける放送信号の送信停止が終了する最も遅い時刻の直後を、番組情報の取得日時として決定する条件が含まれるため、ユーザが番組を視聴する可能性が比較的低く、且つ、放送信号の送信停止が行われることが多い深夜から明け方の時間帯の中で、何れの放送チャンネルの送信停止期間とも重ならないタイミングで番組情報の取得が実施される。したがって、番組情報の取得が可能な可能性がより高い時間帯に番組情報の取得を実施することができ、番組情報取得の効率性がより高まることとなる。
【００８５】
また、決定条件には、放送信号の送信停止（すなわち、番組情報の送信停止）を予定している放送チャンネルが無い場合に、予め定められた時刻を番組情報の取得日時として決定する条件が含まれるため、ユーザが番組を視聴している可能性が低い時刻を、予め定められた番組情報取得時刻として設定することで、番組情報の取得を効率良く行うことができる。
【００８６】
また、決定条件は、番組情報の取得日時の日の前日に、翌日分の番組情報の取得日時を決定するため、放送受信装置２０では、より新しい送信停止情報に基づいて、より正確な送信停止期間を把握することができ、更に効率の良い番組情報の取得処理を実施することができる。
【００８７】
さらに、第２取得プログラム３５７ｄの実行により取得された番組情報を記憶する番組情報記憶部３５６が備わり、番組情報記憶部３５６は、新たな番組情報が取得される度に更新される。そのため、放送受信装置２０では、番組情報記憶部３５６に記憶された番組情報に基づいて、常に、より新しい電子番組表をユーザに提示することができる。
【００８８】
なお、本発明の範囲は上記実施形態に限られることなく、本発明の趣旨を逸脱しない範囲において種々の改良並びに設計の変更を行っても良い。
【００８９】
例えば、上記実施形態では、一例として、デジタル放送データをＵＨＦ帯域で伝送する場合について説明したが、デジタル放送データの周波数帯域はこれに限られず、例えば、ＶＨＦ(Very High Frequency)帯域、ケーブルテレビ帯域等の他の周波数帯域で伝送されるデジタル放送データに本発明を適用することとしても良い。
【００９０】
また、例えば、上記実施形態では、番組情報の取得日時を決定するための決定条件が複数ある場合について説明したが、決定条件の数は上記実施形態より多くても少なくても良い。また、決定条件の内容も上記実施形態の決定条件に限られることなく、少なくとも放送信号（番組情報）の送信停止期間に重ならない時間帯を番組情報の取得日時として決定する条件である限り、如何なる条件を決定条件としても良い。
【００９１】
また、上記実施形態では、番組情報の取得を一日一回実施することとし、取得した番組情報から翌日分の送信停止情報を取得し、取得した送信停止情報と決定条件とに基づいて、翌日分の番組情報の取得日時を決定する場合について説明した。しかしながら、例えば、番組情報の取得を一日一回実施する場合であっても、番組情報から複数日分の送信停止情報を取得し、複数日分の取得日時を一度に決定することとしても良い。また、番組情報の取得を複数日に一回実施するように構成し、取得した番組情報内の送信停止情報に基づいて、翌日以降に実施する次回の番組情報の取得日時を決定することとしても良い。
【００９２】
また、上記実施形態において、送信停止情報を、放送信号の送信停止を継続する継続期間を含む情報としたが、送信停止情報に、放送信号（番組情報）の送信停止を終了する終了日時を含めることとしても良い。
また、上記実施形態では、放送信号の送信停止を予定している場合にのみ、番組情報に送信停止情報を挿入し、番組情報に送信停止情報が含まれていない場合には放送信号の送信停止が予定されていないと判断することとして説明したが、放送信号の送信停止を予定していない場合に、放送信号の送信停止を行わない旨を示す情報を番組情報内に挿入することとしても良い。
【００９３】
また、番組情報に基づいて作成されて提示される電子番組表上に、決定された番組情報の取得日時（例えば、「ＡＭ５：０１」）を表示させる表示手段を設け、その時刻に番組情報の自動取得を実行する予定であることを予めユーザに報知するように構成しても良い。また、決定した番組情報の取得日時の実行中又は取得日時の所定時間前に、番組情報の取得日時の実行中又は取得日時の所定時間前であることをユーザに報知するように構成しても良い。これにより、ユーザが番組を視聴中であるために番組情報の取得が不可能となる可能性を低減させることができる。
【００９４】
また、上記実施形態では、各局ＳＩ方式を採用している地上デジタル放送を対象として、番組情報を全ての放送チャンネルのデジタル放送データから取得する場合について説明したが、全局ＳＩ方式を採用する衛星放送等の他のサービスに本発明を適用して、何れか一の放送チャンネルのデジタル放送データから番組情報を取得する構成としても良い。
【００９５】
また、何れの放送チャンネルでも番組情報の送信停止が行われない場合に番組情報の取得日時として決定されるタイミングをユーザが手動で設定する設定手段が設けられていても良い。さらに、番組情報の送信停止が行われない場合に番組情報の取得日時として決定されるタイミングとして、ユーザの視聴履歴に基づいてユーザが視聴しない可能性が高い時間帯を自動的に設定する設定手段が設けられていても良い。
【００９６】
また、上記実施形態では、放送送信装置において、放送信号の送信を停止する送信停止期間を示す送信停止情報を送信することとしたが、必ずしも放送信号の送信停止に関する送信停止情報を用いる必要はなく、少なくとも番組情報の送信停止期間を示す情報であればよい。
【符号の説明】
【００９７】
１００    デジタル放送システム
１０      放送送信装置
１３      番組情報生成部（第１生成手段）
１４      多重化部（第２生成手段）
１５      伝送路符号化部（第２生成手段）
１６      送信部（送信手段）
１７１    ＣＰＵ（第１生成手段、第２生成手段、送信手段）
１７３ａ  第１生成プログラム（第１生成手段）
１７３ｂ  第２生成プログラム（第２生成手段）
１７３ｃ  送信プログラム（送信手段）
２０      放送受信装置
２３      チューナ（受信手段）
２９      データデコーダ（第１取得手段、第２取得手段）
３５１    ＣＰＵ（受信手段、第１取得手段、決定手段、第２取得手段、記憶手段）
３５６    番組情報記憶部（記憶手段）
３５７ａ  受信プログラム（受信手段）
３５７ｂ  第１取得プログラム（第１取得手段）
３５７ｃ  決定プログラム（決定手段）
３５７ｄ  第２取得プログラム（第２取得手段）
３５７ｅ  記憶プログラム（記憶手段）
【図１】
2010187041.tif 000003
【図２】
2010187041.tif 000004
【図３】
2010187041.tif 000005
【図４】
2010187041.tif 000006
【図５】
2010187041.tif 000007
【図６】
2010187041.tif 000008